(57)【要約】【課題】作り立ての収納物自体から滴り出した油や液汁が再び収納物に吸収されてしまうことを防止することのできる包装用容器を、簡単な構成によって提供すること。【解決手段】上方からのものを支持する支持部１２を有した容器本体１０と、支持部１２上に係止部によって支持されて、底部に通孔を形成した中容器２０と、容器本体１０または中容器２０側に係止される蓋体とを備えるとともに、中容器２０の底面２１下に、当該中容器２０に収納した収納物からの液体または気体のいずれか少なくとも一方が各通孔を通して入り込む空間Ｒを形成したこと。【選択図】図４
2004345650.tif 000002
【特許請求の範囲】
【請求項１】
上方からのものを支持する支持部を有した容器本体と、前記支持部上に係止部によって支持されて、底部に通孔を形成した中容器と、前記容器本体または中容器側に係止される蓋体とを備えるとともに、
前記中容器の底面下に、当該中容器に収納した収納物からの液体または気体のいずれか少なくとも一方が前記各通孔を通して入り込む空間を形成したことを特徴とする中容器を有する包装用容器。
【請求項２】
前記容器本体と中容器との間に透過孔を形成するとともに、前記蓋体と中容器の係止部との間に隙間を、または前記中容器に孔を形成して、この孔または隙間によって前記空間内と前記中容器内との間の連通を確保するようにしたことを特徴とする請求項１に記載の中容器を有する包装用容器。
【請求項３】
前記容器本体と中容器との間に透過孔を形成するとともに、前記蓋体の下端縁と、この蓋体が係合された前記容器本体との間に開口を形成して、前記空間内と外部との間の連通を確保するようにしたことを特徴とする請求項１に記載の中容器を有する包装用容器。
【請求項４】
前記蓋体の下端縁と、この蓋体が係合された前記容器本体との間に開口を形成するとともに、前記蓋体と中容器の係止部との間に隙間を、または前記中容器に孔を形成して、この孔または隙間によって前記空間内と外部との間の連通を確保するようにしたことを特徴とする請求項１に記載の中容器を有する包装用容器。
【請求項５】
前記容器本体と中容器との間に透過孔を形成して、前記空間内と前記中容器内との間の連通を確保するとともに、前記空間、中容器内、及び外部との間の各連通を確保するようにしたことを特徴とする請求項４に記載の中容器を有する包装用容器。
【発明の詳細な説明】
【０００１】
【発明の属する技術分野】
本発明は、揚げ物や惣菜等の副食品を収納物として収納する包装用容器に関し、特に、収納物を載置するための中容器を有した包装用容器に関するものである。
【０００２】
【従来の技術】
近年、コンビニエンスストアやスーパー等の食品店では、主食も入った所謂お弁当は勿論、単品としての揚げ物や惣菜等の副食品が、種々な形式の包装用容器に詰められて販売されている。これらのお弁当や副食品は、作り立て、つまり暖かい状態のまま販売することが販売促進に繋がることから、出来上がった揚げ物や惣菜を、その場で包装用容器に詰めることが必要になってきている。
【０００３】
ところで、出来上がったばかりの揚げ物や惣菜からは、油や水の蒸気が立ち上りつつある状態にあり、また油や煮汁が滴り落ちている状態にあることもあり、これらの蒸気や煮汁は、密閉された容器内に詰め込んでしまうと逃げ場がないため、再び揚げ物や惣菜等の収納物に吸収されることになる。油や水分を吸収した揚げ物や惣菜は所謂「ベタベタ」の状態となり、味が落ちて商品価値も低下してしまう。
【０００４】
そこで、特許文献１にて提案されているように、「蓋部に曇りや水滴の付着を効果的に防止することのできる包装容器を提供すること」を目的として、図２１に示すような「包装容器」が考案された。
【０００５】
【特許文献１】特許第２９８１１５３号掲載公報、特許請求の範囲、段落０００５、００２５
【０００６】
【発明が解決しようとする課題】
この図２１に示した包装容器は、上記特許文献１の特許請求の範囲の記載からすると、「透明または半透明の蓋体と上端開口の容器部とからなり、水分を含み水蒸気を発生しやすい食品の包装容器において、上記蓋体は、周辺部と断面ほぼ台形形状に膨らみのある蓋部とからなり、上記蓋部には複数の通気孔が開設してあり、上記蓋部が上記容器部の開口を覆った状態では、上記蓋体の上記周辺部と上記容器部の開口縁との間には、包装容器の内部に連通している吸気口が形成されること」を特徴とするものであり、「包装容器内に収納された食品などから発生する水蒸気を多く含んだ空気は、吸気口から入り通気孔から外方に流れる気流の流れにより容器外に効率的に放出されるため蓋体の内面に曇りや水滴の付着を防止でき、常に蓋体をとおして収納された食品の状態が容易に視認できる。また、包装容器を重ねて陳列する場合でも、脚部またはリブにより蓋部の通気孔が塞がれることがない」（段落００２５）といった効果が得られるものと考えられる。
【０００７】
しかしながら、この図２１に示した従来の包装容器では、気体となった水蒸気等の排出はできるけれども、作り立ての収納物自体から滴り出した油や液汁が再び収納物に吸収されてしまうことを防止することはできないものであり、収納物がベタベタとなって商品価値を低下させてしまうことを防ぐことはできないものとなっている。
【０００８】
そこで、本発明者等は、この種の包装用容器における上記実状に鑑みて、作り立ての収納物自体から滴り出した油や液汁が再び収納物に吸収されてしまうことを防止するにはどうしたらよいか、について種々検討を重ねてきた結果、本発明を完成したのである。
【０００９】
すなわち、本発明の主たる目的とするところは、作り立ての収納物自体から滴り出した油や液汁が再び収納物に吸収されてしまうことを防止することのできる包装用容器を、簡単な構成によって提供することにある。
【００１０】
【課題を解決するための手段】
以上の課題を解決するために、まず、請求項１に係る発明の採った手段は、後述する実施の形態の説明中で使用する符号を付して説明すると、
「上方からのものを支持する支持部１２を有した容器本体１０と、支持部１２上に係止部２２によって支持されて、底部に通孔２４を形成した中容器２０と、容器本体１０または中容器２０側に係止される蓋体３０とを備えるとともに、
中容器２０の底面２１下に、当該中容器２０に収納した収納物からの液体または気体のいずれか少なくとも一方が各通孔２４を通して入り込む空間Ｒを形成したことを特徴とする中容器２０を有する包装用容器１００」
である。
【００１１】
すなわち、この請求項１の包装用容器１００は、容器本体１０内に収納されて支持される中容器２０を有するものであり、この中容器２０内に、作り立ての揚げ物や惣菜が収納されるものである。そして、この揚げ物等を、容器本体１０または中容器２０側に係止される蓋体３０によって覆うようにしたものである。つまり、この請求項１に係る包装用容器１００は、図６にも示すように、容器本体１０と、その上の中容器２０と、容器本体１０または中容器２０に載置あるいは嵌合されることになる蓋体３０とにより構成したものなのであり、これらの容器本体１０、中容器２０、及び蓋体３０は、合成樹脂シートを真空または圧空成形することによって簡単に成形されるものである。
【００１２】
そして、この包装用容器１００においては、図４及び図５等に示すように、中容器２０の底面２１下に、当該中容器２０に収納した収納物からの液体または気体のいずれか少なくとも一方が各通孔２４を通して入り込む空間Ｒを形成したものである。
【００１３】
この空間Ｒ内と中容器２０内とは、図１０〜図１２に示すように、中容器２０に形成した通孔２４によって互いに連通しているから、中容器２０内に収納した揚げ物等の水蒸気は勿論、油や水分がこの空間Ｒ内に導かれることになり、収納物が揚げ物であれば、そのカラッとした状態が維持されることになるのである。時に、複数の揚げ物を中容器２０内に重ねて収納した場合にも、下側の揚げ物からの水蒸気や油等を下の空間Ｒ内に導入することができるから、当該包装用容器１００は、中容器２０内に重ねて入れた揚げ物についても、カラッとした状態に維持することができるものとなっているのである。
【００１４】
容器本体１０は、上からのもの（中容器２０または蓋体３０のいずれか少なくとも一方）を支持する支持部１２を有するものであるが、この支持部１２は、当該容器本体１０の開口縁全体に沿ったものであってもよいが、以下に示す実施の形態では、図７及び図８にも示すように、容器本体１０のコーナー部に立ち上がる複数のものとしてある。
【００１５】
各支持部１２が複数あることによって、図７に示すように、その間が切欠部１３となるものである。勿論、これら各支持部１２の外側面には、後述する蓋体３０の嵌合フランジ３２が嵌合または係止されるのであり、これにより、容器本体１０中に中容器２０を収納した状態で当該包装用容器１００を一体的なものとするのである。また、各支持部１２上には、図４等に示すように、中容器２０の係止部２２が載置または嵌合される。つまり、容器本体１０側の各支持部１２は、中容器２０または蓋体３０のいずれか少なくとも一方を文字通り支持するためのものである。
【００１６】
中容器２０は、図１０に示すように、概略「皿」状のものであり、その底面２１には、当該中容器２０上に収納された揚げ物や惣菜から出る水蒸気、油及び煮汁を、下方に導入または滴下させるための通孔２４が複数形成してある。各通孔２４から下方に導入された水蒸気、あるいは滴下した油や煮汁は、上述したように、当該中容器２０の下側にある空間Ｒ内に入る。なお、中容器２０の底面２１に形成した実施形態の通孔２４は、底面２１に形成したものであるが、中容器２０の側壁２３に形成したものでもよく、あるいは係止部２２と側壁２３にまたがる部分に形成したものであってもよい。その意味で、各通孔２４の形成位置は、中容器２０の「底部」なのである。
【００１７】
また、この中容器２０の外周部分には、図１０及び図１１に示すように、容器本体１０側の各支持部１２上に載置または係止される係止部２２が形成してある。この係止部２２は、当該中容器２０の外周縁全体であってもよく、あるいは支持部１２上以外はなくてもよいものである。
【００１８】
中容器２０の下の空間Ｒは、単純に容器本体１０の底面１１と当該中容器２０の底面２１との間の隙間であってもよいが、当該中容器２０の底面２１に形成したリブ２５により構成されるものであってもよく、また容器本体１０の底面１１に形成したリブ１１ａにより構成されるものであってもよいものである。要するに、この空間Ｒは、油や煮汁が入ることができるか、あるいはこれらを吸収して自ら膨潤する吸水性ポリマーを塗布することのできる空間であれば十分であり、図１５にも示すように、入ってきた油や煮汁を吸い込む紙または不織布４０のためのスペースが確保できればなおのこと十分である。
【００１９】
蓋体３０は、図２１にも示した従来例のように、その下方に形成してある嵌合フランジ３２によって容器本体１０の各支持部１２に嵌合または係止されるものであるが、その嵌合や係止は、実施形態のように支持部１２の外側で行ってもよいし、支持部１２の嵌合溝内や内側（内嵌合）に対して行ってもよいものであり、さらには、容器本体１０の各支持部１２以外の外側等にて嵌合してもよいものである。勿論、この蓋体３０の天板面３１には、図１４にも示すように、中容器２０上の通気を良好にするための通気孔３３を形成して実施してもよいものである。
【００２０】
以上のように構成した包装用容器１００は、中容器２０が容器本体１０の各支持部１２によって確実に支持されることは勿論、容器本体１０の各支持部１２に蓋体３０の嵌合フランジ３２が嵌合または係止されるのであるから、中容器２０は、容器本体１０と蓋体３０との中で完全に包み込まれた状態で固定化されるのである。また、中容器２０上に収納された揚げ物から出た油等は、中容器２０の各通孔２４から直ちに下の空間Ｒ内に滴下するから、揚げ物に油が再び染み込むことはなく、揚げ物がベタベタ状態になることもない。このことは、煮物の煮汁についても同様である。
【００２１】
従って、この請求項１の包装用容器１００は、中容器２０によって収納物を空間Ｒ上に浮いた状態に支持し、これにより、収納物から生じた油や煮汁を中容器２０内に直ちに滴下し得るものとなっており、作り立ての収納物自体から滴り出した油や液汁が再び収納物に吸収されてしまうことを防止するのである。
【００２２】
上記課題を解決するために、請求項２に係る発明の採った手段は、請求項１の容器本体１０について、
「容器本体１０と中容器２０との間に透過孔Ｈ１を形成するとともに、蓋体３０と中容器２０の係止部２２との間に隙間を、または中容器２０に孔を形成して、この孔または隙間Ｈ２によって空間Ｒ内と中容器２０内との間の連通を確保するようにしたこと」
である。
【００２３】
すなわち、この請求項２の包装用容器１００は、図４及び図１５に示すように、容器本体１０と中容器２０との間に透過孔Ｈ１を形成するとともに、中容器２０に孔Ｈ２を形成したものである。この孔Ｈ２は、蓋体３０と中容器２０の係止部２２との間に形成される隙間であってもよいものである。この孔または隙間Ｈ２は、これによって空間Ｒ内と中容器２０内との間の連通を確保するものであり、図１５中の矢印線に示したような気体の移動を可能にするものである。
【００２４】
また、この孔または隙間Ｈ２の形成方法としては、中容器２０に幅広なフランジを形成しておいて、この幅広フランジに孔を形成して、これを孔Ｈ２とする方法もある。
【００２５】
換言すれば、この孔または隙間Ｈ２が存在することによって、中容器２０内に入れた揚げ物等から発生する水蒸気が、中容器２０下方に形成してある空間Ｒ内に導かれるだけでなく、蓋体３０の内面に結露した油や水が空間Ｒ内に流下することになり、中容器２０上の収納物を水分等によってベタベタにすることを防止するのである。勿論、容器本体１０の内面に吸水性ポリマーが塗布してあったり、空間Ｒ内に紙または不織布４０が収納してあれば、中容器２０上の収納物から発生した水蒸気は、この孔または隙間Ｈ２を通して空間Ｒ内に入り込み、吸水性ポリマーや紙または不織布４０に吸収されることになって、このことによっても中容器２０上の収納物が水分等によってベタベタになることが防止されるのである。
【００２６】
なお、蓋体３０の天板面３１に多数の通気孔３３が形成してあれば、この通気孔３３を通して、中容器２０上の収納物及び空間Ｒ内の煮汁等から発生した蒸気が外部に排出されることは言うまでもない。
【００２７】
従って、この請求項２の包装用容器１００は、上記請求項１のそれと同様な機能を発揮することは勿論、結露分や蒸気をさらに空間Ｒ内に導くことができて、収納物の商品価値を維持し得るものとなっているのである。
【００２８】
上記課題を解決するために、請求項３に係る発明の採った手段は、請求項１に記載の中容器２０を有する包装用容器１００について、
「容器本体１０と中容器２０との間に透過孔Ｈ１を形成するとともに、蓋体３０の下端縁と、この蓋体３０が係合された容器本体１０との間に開口Ｍを形成して、空間Ｒ内と外部との間の連通を確保するようにしたこと」
である。
【００２９】
すなわち、この請求項３の包装用容器１００は、図４及び図１６に示すように、容器本体１０と中容器２０との間に透過孔Ｈ１を形成するとともに、蓋体３０の下端縁と、この蓋体３０が係合された容器本体１０との間に開口Ｍを形成したものである。
【００３０】
この包装用容器１００における透過孔Ｈ１は、図１６に示した実施形態のものにあっては、容器本体１０側の各支持部１２による中容器２０の支持を、中容器２０の底面２１が容器本体１０の底面１１から少し浮き上がった状態で行うことにより形成したものであり、その開口面積を大きなものとしたものである。勿論、この透過孔Ｈ１としては、中容器２０の側壁２３の下方部分に凹所を形成し、この凹所を透過孔Ｈ１として採用してもよいものである。
【００３１】
開口Ｍは、図１６に示すように、容器本体１０側の支持部１２に嵌合または係止されない部分を容器本体１０のフランジ部から浮かせた状態にすることによって形成したものであるが、この開口Ｍは、蓋体３０の嵌合フランジ３２の一部を切り欠いて形成したものであってもよい。いずれにしても、この開口Ｍは、当該蓋体３０と容器本体１０との嵌合または係止を阻害しない状態であれば、どのように形成して実施してもよいものである。
【００３２】
以上のような開口Ｍと透過孔Ｈ１とが形成されている結果、この請求項３に係る包装用容器１００では、図１６中の矢印線にて示すように、中容器２０下の空間Ｒ内と外部との間の連通が確保されていることになり、空間Ｒ内に滴下した油や煮汁の蒸気が外部に排出されることになる。
【００３３】
従って、この請求項３の包装用容器１００は、上記請求項１のそれと同様な機能を発揮することは勿論、空間Ｒ内から蒸気を外部に導出させることができて、収納物の商品価値を維持し得るものとなっているのである。
【００３４】
上記課題を解決するために、請求項４に係る発明の採った手段は、上記請求項１に記載の中容器２０を有する包装用容器１００について、
「蓋体３０の下端縁と、この蓋体３０が係合された容器本体１０との間に開口Ｍを形成するとともに、蓋体３０と中容器２０の係止部２２との間に隙間を、または中容器２０に孔を形成して、この孔または隙間Ｈ２によって空間Ｒ内と外部との間の連通を確保するようにしたこと」
である。
【００３５】
すなわち、この請求項４の包装用容器１００は、図４及び図１７に示すように、上記請求項３の包装用容器１００におけるのと同じ開口Ｍを有するとともに、請求項２の包装用容器１００におけるのと同様な孔または空間Ｈ２を有するものである。
【００３６】
以上のような開口Ｍと孔または空間Ｈ２とが形成されている結果、この請求項４に係る包装用容器１００では、図１７中の矢印線にて示すように、中容器２０上と外部との間の連通が確保されていることになり、中容器２０上に収納物が発生した蒸気を外部に排出することになるのである。
【００３７】
従って、この請求項４の包装用容器１００は、上記請求項１のそれと同様な機能を発揮することは勿論、中容器２０上の収納物から発生された蒸気を外部に導出させることができて、収納物の商品価値を維持し得るものとなっているのである。
【００３８】
上記課題を解決するために、請求項５に係る発明の採った手段は、上記請求項４に記載の中容器２０を有する包装用容器１００について、
「容器本体１０と中容器２０との間に透過孔Ｈ１を形成して、空間Ｒ内と中容器２０内との間の連通を確保するとともに、空間Ｒ、中容器２０内、及び外部との間の各連通を確保するようにしたこと」
である。
【００３９】
すなわち、この請求項５の包装用容器１００は、図４及び図１８に示すように、請求項２の包装用容器１００で説明した透過孔Ｈ１及び孔または空間Ｈ２、そして請求項３で説明した開口Ｍの全てを形成したものであり、図１８中の矢印線にて示した方向の、空間Ｒ、中容器２０上、及び外部のそれぞれ全ての連通を確保したものである。
【００４０】
従って、この請求項５の包装用容器１００は、上記請求項１及び請求項４のそれと同様な機能を発揮することは勿論、空間Ｒ、中容器２０内、及び外部との間の各連通が全て確保されており、収納物の商品価値を維持し得るものとなっているのである。
【００４１】
上記請求項１〜請求項５のいずれかに記載の中容器２０を有する包装用容器１００については、その蓋体３０の天板面３１に多数の通気孔３３を形成して実施するとよい。
【００４２】
つまり、この通気孔３３を蓋体３０に形成した包装用容器１００は、図１４に示すように、蓋体３０の天板面３１に多数の通気孔３３を形成したものであるから、この通気孔３３によって中容器２０上の収納物が発した蒸気を直接的に外部へ放散させることができることは勿論、空間Ｒ内の蒸気をこの通気孔３３から外部へ放散させることができるのであり、さらには、この放散を助けるための外気の導入を開口Ｍから行うこともできるものとなっているのである。勿論、各通気孔３３からは、蒸気の放散は勿論、外気の導入も行われることがある。
【００４３】
【発明の実施の形態】
次に、以上のように構成した各請求項の発明について、図面に示した実施の形態である包装用容器１００について説明するが、この実施形態の包装用容器１００は、上記各請求項に記載した発明の全てを含むものである。
【００４４】
この実施形態の包装用容器１００は、図１〜図６に示したように、容器本体１０と、この容器本体１０内に収納されて支持される中容器２０と、この中容器２０の全体を覆い、下端の嵌合フランジ３２によって容器本体１０側に嵌合または係止される蓋体３０とを有するものであり、中容器２０内には、作り立ての揚げ物や惣菜を収納するものである。勿論、中容器２０上に収納された揚げ物等は、容器本体１０側に係止される蓋体３０によって覆われるのである。これらの容器本体１０、中容器２０、及び蓋体３０は、それぞれ必要な着色を施すか、あるいは透明または半透明の合成樹脂シートを真空または圧空成形することによって成形したものである。
【００４５】
そして、この包装用容器１００は、例えば図６に示したように嵌合あるいは載置していくことによって、図４及び図５に示したように、中容器２０の底面２１下に、当該中容器２０に収納した収納物からの液体または気体のいずれか少なくとも一方が各通孔２４を通して入り込む空間Ｒを形成できるようにしたものである。
【００４６】
本実施形態の容器本体１０は、図４及び図７に示したように、上からの中容器２０を支持し、蓋体３０を嵌合あるいは係止する支持部１２を有するものである。この支持部１２は、当該容器本体１０の開口縁全体に沿ったものであってもよいが、この実施形態では、図７及び図８にも示したように、略四角形状の容器本体１０の各コーナー部に立ち上がる複数のものとしたものである。
【００４７】
各支持部１２が複数あることによって、図７に示したように、その間が切欠部１３となるものである。勿論、これら各支持部１２の上面には、後述する中容器２０の係止部２２が載置または嵌合されるものであり、また、各支持部１２の外側面には、後述する蓋体３０の嵌合フランジ３２が嵌合または係止されるのである。以上により、中に中容器２０を収納して各支持部１２により支持した状態において、蓋体３０の各部分を容器本体１０の支持部１２に嵌合または係止することにより、当該包装用容器１００が一体的なものとなる。
【００４８】
本実施形態の容器本体１０では、図２、図３及び図７に示したように、底面１１のコーナー部に脚部１４を膨出形成するようにしてある。この脚部１４は、当該包装用容器１００の複数を、従来例を示す図２１に示したような状態で段積みした場合に、上側の包装用容器１００を構成している容器本体１０の底面１１と、下側の包装用容器１００の蓋体３０との間に隙間を形成することになるものであり、この隙間によって、例えば冷蔵庫内に段積みしたときの冷気の流れを十分なものとするものである。また、本実施形態の容器本体１０の底面１１は、図９に示したように、その略中央部分が下方に僅かに膨出する形状にしてあり、これにより、図９中の矢印にて示したように、段積みした包装用容器１００の底面１１下における冷気の流れに、所謂「ビル風」のような現象を生じさせて、冷却効果が良好となるようにしているものである。
【００４９】
この「ビル風現象」は、蓋体３０の上面を上方に凸となるように湾曲させても発生させることができるものであり、この包装用容器１００を多段積みしたときに、収納物から出る水蒸気の、蓋体３０に形成した通気孔３３からの排出を円滑にするものである。
【００５０】
なお、容器本体１０に対する中容器２０の載置または嵌合方法としては、図１９または図２０に示すような種々な対応の仕方がある。図１９の（ａ）にて示した方法は、本実施形態における嵌合方法を示したものであるが、中容器２０の周縁に、上方に凸となる断面形状のフランジ２５Ａを形成しておいて、このフランジ２５Ａを容器本体１０側の各支持部１２上に嵌合させるものであり、図１９の（ｂ）にて示した方法は、容器本体１０側の、各支持部１２の内側となる部分に突起１５を形成しておいて、この突起に中容器２０側のフランジ２５Ａを嵌合させるようにしたものである。図１９の（ｃ）にて示した方法は、図１９の（ｂ）にて示した方法に近いものであるが、容器本体１０側の突起１５に嵌合されるフランジ２５Ａの外周に、容器本体１０側の各支持部１２の内側に沿うことになる補強フランジ２５Ａａを形成したものである。
【００５１】
また、図２０の（ａ）にて示した方法は、容器本体１０の底面１１に複数の底面突起１６を形成しておいて、この底面突起１６に中容器２０の底面２１を載置するようにしたものであり、図２０の（ｂ）にて示した方法は、逆に、中容器２０の底面２１に下方に突出する脚部２６を形成しておいて、この脚部２６を容器本体１０の底面１１上に載置するようにしたものである。そして、図２０の（ｃ）にて示した方法は、中容器２０の外周にフランジ下向き突起２７を形成しておいて、このフランジ下向き突起２７を、容器本体１０の支持部１２の内側に係止するようにしたものである。
【００５２】
以上の、図２０の（ａ）あるいは（ｂ）に示した底面突起１６、あるいは脚部２６を収納する部分は、容器本体１０の脚部１４に近接させた状態で形成した方が、前述した「ビル風現象」を阻害しないことになるので有利である。また、図２０の（ａ）及び（ｂ）に示したような、底面２１がフラットな中容器は、これをそのまま皿としても使用することができるものであり、便利なものとなる。
【００５３】
ところで、中容器２０は、図１０に示すように、概略「皿」状のものであり、その底面２１には、当該中容器２０上に収納された揚げ物や惣菜から出る油や煮汁を下方に滴下させるための通孔２４が複数形成してある。各通孔２４から滴下した油や煮汁は、当該中容器２０の下側にある空間Ｒ内に入る。なお、中容器２０の底面２１に形成した実施形態の通孔２４は、底面２１に形成したものであるが、中容器２０の側壁２３に形成したものでもよく、あるいは係止部２２と側壁２３にまたがる部分に形成したものであってもよい。
【００５４】
また、この中容器２０の外周部分には、図１０及び図１１に示すように、容器本体１０側の各支持部１２上に載置または係止される係止部２２が形成してある。この係止部２２は、当該中容器２０の外周縁全体であってもよく、あるいは支持部１２上以外はなくてもよいものである。勿論、この係止部２２としては、上記図１９及び図２０の実施形態で例示したように、フランジ２５Ａやフランジ下向き突起２７が採用されることもある。
【００５５】
中容器２０の下の空間Ｒは、単純に容器本体１０の底面１１と当該中容器２０の底面２１との間の隙間であってもよいが、当該中容器２０の底面２１に形成したリブ２５により構成されるものであってもよく、また容器本体１０の底面１１に形成したリブ１１ａにより構成されるものであってもよいものである。要するに、この空間Ｒは、油や煮汁が入ることができるか、あるいはこれらを吸収して自ら膨潤する吸水性ポリマーを積層したり塗布したりすることのできる空間であれば十分であり、図１５にも示すように、入ってきた油や煮汁を吸い込む紙または不織布４０のためのスペースが確保できればなおのこと十分である。
【００５６】
本実施形態の蓋体３０は、その下方に形成してある嵌合フランジ３２によって容器本体１０の各支持部１２に嵌合または係止されるものであるが、その嵌合や係止は、実施形態のように支持部１２の外側で行ってもよいし、支持部１２の嵌合溝内や内側（内嵌合）に対して行ってもよいものである。また、この蓋体３０は、例えば容器本体１０に対する中容器２０の嵌合が十分なされている場合、あるいは当該包装用容器１００全体がフィルムで包まれる場合には、中容器２０に対して係止または嵌合されるものであってもよい。
【００５７】
勿論、この蓋体３０の天板面３１には、図１４にも示したように、中容器２０上の通気を良好にするための通気孔３３が形成されることもある。
【００５８】
【発明の効果】
以上、詳述した通り、本発明においては、上記実施形態にて例示した如く、
「上方からのものを支持する支持部１２を有した容器本体１０と、支持部１２上に係止部２２によって支持されて、底部に通孔２４を形成した中容器２０と、容器本体１０または中容器２０側に係止される蓋体３０とを備えるとともに、
中容器２０の底面２１下に、当該中容器２０に収納した収納物からの液体または気体のいずれか少なくとも一方が各通孔２４を通して入り込む空間Ｒを形成したこと」
にその主たる構成上の特徴があり、これにより、作り立ての収納物自体から滴り出した油や液汁が再び収納物に吸収されてしまうことを防止することのできる中容器２０を有する包装用容器１００を簡単な構成によって提供することができるのである。
【図面の簡単な説明】
【図１】本発明に係る包装用容器の平面図である。
【図２】同包装用容器の底面図である。
【図３】同包装用容器の正面図である。
【図４】同包装用容器の、図１中の１−１線に沿ってみた縦断面図である。
【図５】同包装用容器の、図１中の２−２線に沿ってみた縦断面図である。
【図６】同包装用容器の組付状態を示した包装用容器の分解正面図である。
【図７】同包装用容器を構成している容器本体の正面図である。
【図８】同容器本体の、図２中の３−３線に沿ってみた縦断端面図である。
【図９】同容器本体の、図２中の４−４線に沿ってみた縦断端面図である。
【図１０】同包装用容器を構成している中容器の平面図である。
【図１１】同中容器の、図１０中の５−５線に沿ってみた縦断端面図である。
【図１２】同中容器の、図１０中の６−６線に沿ってみた縦断端面図である。
【図１３】同包装用容器を構成している蓋体の正面図である。
【図１４】同蓋体の、図１中の７−７線部で切ってみた縦断端面図である。
【図１５】請求項２についてのクレーム対応図であって、図４中の８−８線部を拡大して示した包装用容器の部分拡大断面図である。
【図１６】請求項３についてのクレーム対応図であって、図４中の８−８線部を拡大して示した包装用容器の部分拡大断面図である。
【図１７】請求項４についてのクレーム対応図であって、図４中の８−８線部を拡大して示した包装用容器の部分拡大断面図である。
【図１８】請求項５についてのクレーム対応図であって、図４中の８−８線部を拡大して示した包装用容器の部分拡大断面図である。
【図１９】本発明の包装用容器を構成している容器本体に対する中容器の載置または嵌合方法を示すもので、（ａ）は容器本体の支持部に中容器側のフランジを係合させた場合、（ｂ）及び（ｃ）は容器本体側に形成した突起に中容器側のフランジを係合させた場合をそれぞれ示す部分拡大断面図である。
【図２０】本発明の包装用容器を構成している容器本体に対する中容器の別の載置または嵌合方法を示すもので、（ａ）は容器本体の底面に形成した底面突起上に中容器を載置させた場合、（ｂ）は中容器側に形成した脚部を容器本体の底面上に当接させた場合、（ｃ）は中容器に形成したフランジ下向き突起を容器本体に係合させた場合、をそれぞれ示す部分拡大断面図である。
【図２１】従来の技術を示す断面図である。
【符号の説明】
１００    包装用容器
１０    容器本体
１１    底面
１１ａ  リブ
１２    支持部
１３    切欠部
１４    脚部
１５    突起
１６    底面突起
２０    中容器
２１    底面
２２    係止部
２３    側壁
２４    通孔
２５    リブ
２５ａ  フランジ
２６    脚部
２７    フランジ下向き突起
３０    蓋体
３１    天板面
３２    嵌合フランジ
３３    通気孔
４０    紙または不織布
Ｒ    空間
Ｈ１  透過孔
Ｈ２  孔または空間
Ｍ    開口
【図１】
2004345650.tif 000003
【図２】
2004345650.tif 000004
【図３】
2004345650.tif 000005
【図４】
2004345650.tif 000006
【図５】
2004345650.tif 000007
【図６】
2004345650.tif 000008
【図７】
2004345650.tif 000009
【図８】
2004345650.tif 000010
【図９】
2004345650.tif 000011
【図１０】
2004345650.tif 000012
【図１１】
2004345650.tif 000013
【図１２】
2004345650.tif 000014
【図１３】
2004345650.tif 000015
【図１４】
2004345650.tif 000016
【図１５】
2004345650.tif 000017
【図１６】
2004345650.tif 000018
【図１７】
2004345650.tif 000019
【図１８】
2004345650.tif 000020
【図１９】
2004345650.tif 000021
【図２０】
2004345650.tif 000022
【図２１】
2004345650.tif 000023